(57)【要約】本発明は、美術作品に関するデジタルコンテンツを管理するための電子システム及び方法であって、コンテンツの制御不可能な拡散を防止するように適応した電子システム及び方法に関する。美術作品に関するデジタルコンテンツを管理する電子システム（１０）は、美術作品に関するデジタルコンテンツを含むファイルの少なくとも１つのディスプレイユニット１２と関連づけられた、美術作品に関するデジタルコンテンツを含むファイルの少なくとも１つのインポートユニット（１１）を含み、インポートユニット（１１）は美術作品に関するデジタルコンテンツを含むファイルの暗号化／復号化手段（１１ａ）を備え、暗号化／復号化手段はディスプレイユニット（１２、１２’）及び／又は同一のもの（１２、１２’）に含まれる少なくとも１つの電子部品（１２ａ、１４ａ；１２ａ’、１４ａ’）に固有のやり方で関係づけられた、少なくとも１つの識別コードに基づいて固有の暗号化鍵を生成するための手段を含むことを特徴とする。美術作品に関するデジタルコンテンツを管理するための方法（１００）は、美術作品に関するデジタルコンテンツを含む少なくとも１つのファイルをインポートするステップ（１１０）と、ディスプレイユニット（１２、１２’）及び／又は同一のもの（１２、１２’）に含まれる少なくとも１つの電子部品（１２ａ、１４ａ；１２ａ’、１４ａ’）と固有のやり方で関係づけられた少なくとも１つの識別コードを取得するステップ（１５０）と、取得された少なくとも１つの識別コードに基づいて固有の暗号化鍵を生成するステップ（１６０）と、生成された固有の鍵を用いて少なくとも１つの入力されたファイルを暗号化するステップ（１７０）と、暗号化されたファイルを保存するステップ（１８０）と、からなるステップを含むことを特徴とする。
2018530284.tif 000002
【特許請求の範囲】
【請求項１】
美術作品に関するデジタルコンテンツを管理するための電子システム（１０）であって、
美術作品に関するデジタルコンテンツの少なくとも１つのディスプレイユニット（１２）と対応づけられた、美術作品に関するデジタルコンテンツを含むファイルの少なくとも１つのインポートユニット（１１）を含み、
前記インポートユニット（１１）が美術作品に関するデジタルコンテンツの前記ファイルの暗号化／復号化手段（１１ａ）を含み、
前記暗号化／復号化手段が前記ディスプレイユニット（１２、１２’）及び／又はそれ（１２、１２’）に含まれる少なくとも１つの電子部品（１２ａ、１４ａ；１２ａ’、１４ａ’）と固有のやり方で対応づけられた少なくとも１つの識別コードに基づいて固有の暗号化鍵を生成する手段を含むことを特徴とする、
電子システム。
【請求項２】
請求項１に記載の電子システム（１０）であって、
前記ディスプレイユニット（１２）が直接又は遠隔通信ネットワーク（１５）の介在を通じて前記インポートユニット（１１）と接続されている、
電子システム。
【請求項３】
請求項１又は２に記載の電子システム（１０）であって、
前記ディスプレイユニット（１２、１２’）に含まれる前記の少なくとも１つの電子部品（１２ａ、１４ａ；１２ａ’、１４ａ’）が記憶手段（１４ａ、１４ａ’）及び／又は少なくとも１つの電子処理手段（１２ａ、１２ａ’）である、
電子システム。
【請求項４】
請求項１〜３のいずれか一つに記載の電子システム（１０）であって、
前記ディスプレイユニット（１２、１２’）に固有のやり方で対応づけられた前記識別コードが、前記ディスプレイユニット（１２，１２’）の位置に対する相対座標である、
電子システム。
【請求項５】
請求項１〜４のいずれか一つに記載の電子システム（１０）であって、
固有の暗号化鍵を生成する前記手段が加えて時刻データ、好ましくは時間制限データに基づいて動作する、
電子システム。
【請求項６】
請求項１〜５のいずれか一つに記載の電子システム（１０）であって、
美術作品に関するデジタルコンテンツを含むバックアップファイルを内包するバックアップ記憶手段（１４ｂ）を含み、
前記バックアップファイルが前記バックアップ記憶手段（１４ｂ）の少なくとも１つの識別コードに基づいて生成された固有の暗号化鍵を通じて暗号化されている、
電子システム。
【請求項７】
請求項１〜６のいずれか一つに記載の電子システム（１０）であって、
インポートユニット（１１）が、入力において受け取った美術作品に関するデジタルコンテンツを含む各ファイルに固有のシリアルナンバを割り当てるように適応されており、
暗号化鍵を生成する前記手段がさらに前記の固有のシリアルナンバに基づいて動作する、
電子システム。
【請求項８】
請求項７に記載の電子システム（１０）であって、
暗号化鍵を生成する前記手段が、入力においてファイルに割り当てられた固有のシリアルナンバに秘密の接頭語を付加するように適応されている、
電子システム。
【請求項９】
美術作品に関するデジタルコンテンツを管理するための方法（１００）であって、
美術作品に関するデジタルコンテンツを含む少なくとも１つのファイルをインポートするステップ（１１０）と、
ディスプレイユニット（１２、１２’）及び／又はそれに含まれる電子部品（１２ａ、１４ａ、１２ａ’、１４ａ’）と固有のやり方で対応づけられた少なくとも１つの識別コードを取得するステップ（１５０）と、
前記の少なくとも１つの取得された識別コードに基づいて固有の暗号化鍵を生成するステップ（１６０）と、
前記の生成された固有の鍵でインポートされた少なくとも１つのファイルを暗号化するステップ（１７０）と、
暗号化されたファイルを保存するステップ（１８０）と、
からなるステップを含むことを特徴とする、
美術作品に関するデジタルコンテンツを管理するための方法。
【請求項１０】
請求項９に記載の美術作品に関するデジタルコンテンツを管理するための方法（１００）であって、
前記ディスプレイユニット（１２、１２’）に含まれる前記の少なくとも１つの電子部品（１２ａ、１４ａ；１２ａ’、１４ａ’）が記憶手段（１４ａ、１４ａ’）及び／又は少なくとも１つの電子処理手段（１２ａ、１２ａ’）である、
美術作品に関するデジタルコンテンツを管理するための方法。
【請求項１１】
請求項９又は１０に記載の美術作品に関するデジタルコンテンツを管理するための方法（１００）であって、
前記ディスプレイユニット（１２，１２’）に固有のやり方で対応づけられた前記識別コードが前記ディスプレイユニット（１２、１２’）の位置に対する相対座標である、
美術作品に関するデジタルコンテンツを管理するための方法。
【請求項１２】
請求項９〜１１のいずれか１つに記載の美術作品に関するデジタルコンテンツを管理するための方法（１００）であって、
固有の暗号化鍵を生成する前記ステップ（１６０）が、加えて時刻データに基づいて実行される、
美術作品に関するデジタルコンテンツを管理するための方法。
【請求項１３】
請求項９〜１２のいずれか１つに記載の美術作品に関するデジタルコンテンツを管理するための方法（１００）であって、
加えて、
バックアップ記憶手段（１４ｂ）の少なくとも１つの識別コードに基づいて固有の暗号化鍵を生成するステップ（１６０）と、
前記バックアップ記憶手段（ｌ４ｂ）の識別コードから生成された固有の鍵で、インポートされた少なくとも１つのファイルを暗号化するステップ（１７０）と、
暗号化されたファイルを前記バックアップ記憶手段（１４ｂ）に保存するステップと、
を含む、
美術作品に関するデジタルコンテンツを管理するための方法。
【請求項１４】
請求項９〜１３のいずれか一つに記載の美術作品に関するデジタルコンテンツを管理するための方法（１００）であって、
美術作品に関するデジタルコンテンツを含む少なくとも１つのファイルをインポートするステップが、インポートされたファイルに固有のシリアルナンバを割り当てるステップ（１３０）を含み、
固有の暗号化鍵を生成するステップが、割り当てられた固有のシリアルナンバからも鍵を獲得するステップを含む、
美術作品に関するデジタルコンテンツを管理するための方法。
【請求項１５】
請求項１４に記載の美術作品に関するデジタルコンテンツを管理するための方法（１００）であって、
固有の暗号化鍵を生成するステップが、インポートするステップにおいて割り当てられた固有のシリアルナンバに接頭辞を付加する先行ステップ（１４０）を含む、
美術作品に関するデジタルコンテンツを管理するための方法。
【発明の詳細な説明】
【技術分野】
【０００１】
本発明は、美術作品に関するデジタルコンテンツの管理を行う電子システム及び方法であって、コンテンツの制御不可能な拡散を防止するように適応した電子システム及びその方法に関する。
【背景技術】
【０００２】
デジタル技術の発展により、たとえば電子ファイルのような形式の、デジタルコンテンツのコピーや拡散は非常に容易で単純なものとなった。
【０００３】
さらに、パソコンやスマートデバイスといった画像表示に適応した電子デバイスが広く用いられるようになり、加えてインターネットのような世界規模の遠隔通信ネットワークへのブロードバンド接続が広く利用可能になったことにより、どのような場所にいようとも全ユーザひとりひとりがデジタルコンテンツにアクセスできるようになった。
【０００４】
本明細書及び特許請求の範囲において「スマートデバイス」という表現は、（持ち運びが可能か否かによらず）電子デバイス全般で、（有線か無線かによらず）遠隔通信ネットワークにインターフェースが可能であり、デジタル画像を表示するための手段を含むものを指す。これはたとえばスマートフォン、タブレット、スマートTVなどである。
【０００５】
このような発展の上で出願人は、美術の愛好家や収集家にとって、いつどこにいても自分たちの美術作品を調べられるか、又はどのような場合であれアクセスする要求があることに気づいた。これはデジタルの美術作品が提供する性質上実現可能な要求である。換言すると、出願人は、主にデジタル形式にリンクされた潜在能力と、そのような形式が提供する使用の可能性のために、デジタル美術作品に対する高まりつつある需要を認識した。
【０００６】
本明細書及び特許請求の範囲において「デジタル美術作品」という表現は、対象として美術作品を持つデジタルコンテンツを指すものである。
【０００７】
しかしながら出願人は、美術市場においては、作品の価値が失われないために、すべての作品が唯一であるか、どのような場合であれ管理可能な有限数のコピーに留められ、かつそうあり続けることが、第一の前提条件として求められていると判断した。これはデジタルコンテンツの交換や拡散を特徴とする状況と明確に対立しており、デジタル美術作品の管理を特に困難にしている。
【０００８】
実際、美術作品の購入は、作品の価値が時間の経過に応じて維持されるか増加し、後に実質上の損失もなく再度売ることが可能であり得るという点で通常の購入とは異なり、古典的かつ歴史的には投資であると判断されている。
【０００９】
出願人は、このことがデジタル美術作品の売買の分野においても保証されるためには、対象として美術作品を持つ特定のデジタルコンテンツの複製及び拡散を防止できることが不可欠であると、認識している。
【００１０】
しかしながら現在のところ、そのようなデジタルコンテンツの複製及び拡散に対して高い安全性を保証することのできる、美術作品に関連するデジタルコンテンツのための特定の技術は存在しない。
【００１１】
実際、複雑さが様々な度合いのアクセスキーでファイルを暗号化することが知られている。しかしながら、適切な計算能力と十分な時間が利用可能であれば、一般にその暗号化鍵を算出することは可能であり、これは暗号化されたファイルのデジタルコンテンツへの復号化された状態でのアクセスを、それゆえ複製を可能にしてしまう。
【発明の概要】
【発明が解決しようとする課題】
【００１２】
また出願人は、多額の金銭が巻き込まれる美術取引の分野においては、強力な復号化ツールが用いられ、それゆえ暗号化されたファイルのデジタルコンテンツにアクセスすることが可能である、と考えるのが合理的だと判断している。従って、美術作品に関するデジタルコンテンツのファイルの単純な暗号化は、美術市場の要求のために十分な安全性の水準を保証するに足る方策ではない。
【００１３】
以上のような視点のもとでは、本発明の基礎を形成する課題はそれゆえ、対象として美術作品を持つデジタルコンテンツを管理するための電子システムであって、デジタル美術作品、つまり美術作品に関するデジタルコンテンツ、の無許可の複製及び拡散を防ぐのに十分な水準の安全性を保証することが可能な電子システムを考案することである。
【課題を解決するための手段】
【００１４】
この目的のために、出願人は、対象として美術作品を持つデジタルコンテンツを管理するための電子システムであって、そのようなデジタルコンテンツへのアクセス及びそれに従うその拡散を防ぐことが可能な特定の暗号化手段を伴って提供される電子システムを構築することの要求を認識している。
【００１５】
発明の第一の態様によると、本発明はそれゆえ、美術作品に関するデジタルコンテンツを管理するための電子システムであって、美術作品に関するデジタルコンテンツの少なくとも１つのディスプレイユニットと関係づけられた、美術作品に関するデジタルコンテンツを含むファイルの少なくとも１つのインポートユニットを含み、そのインポートユニットが美術作品に関するデジタルコンテンツのファイルの暗号化／復号化手段を含み、その暗号化／復号化手段が、ディスプレイユニット及び／又は同一のものに含まれる電子部品と固有のやり方で関係づけられた少なくとも１つの識別コードに基づいて固有の暗号化鍵を生成する手段を含む、という特徴を持つ電子システムに関する。
【００１６】
出願人は、本発明に係る電子システムで用いられている、暗号化鍵を生成して美術作品に関するデジタルコンテンツのあらゆるファイルに対して固有の鍵を生成するための特定の手段は、ファイルを「オープンする」のに用いられるディスプレイユニットの識別コードが、暗号化ステップにおいて鍵を生成する手段が鍵を生成した際にそれに基づいた識別コードと対応している場合にのみ、ファイルオープンが実行できることを保証するのを、確認した。換言すると、ファイルオープンは、それでファイルのコンテンツがアクセスされるのに用いられるディスプレイユニットが、その電子システムの、又はその電子システムと関係づけられている、ディスプレイユニットに対応する場合にのみ成功し得るということである。
【００１７】
実際、ディスプレイユニットを構築する（たとえば記憶手段やプロセッサなどのような）各電子部品の識別コードは、生産者によって生産の時点で各部品のサブシステム内に設定される英数字列からなる。そういったコードは変更したり取り替えたりできず、かつ各電子部品に特定であり固有である。従って、本発明に係る電子システムのもの以外のディスプレイユニットに存在する電子部品は、そのシステムのディスプレイユニットの電子部品のものと異なる識別コードで特徴付けられるだろうし、従ってそのシステムの外からファイルをオープンすることは不可能となる。
【００１８】
ディスプレイユニットそれ自身に固有のやり方で対応づけられたコードによって、同程度の一意性と安全性が保証される。このコードはたとえば、（それが固定されている場合）ディスプレイユニットの位置に対する相対座標などのようなものである。この座標はたとえばそういったユニットに含まれ得るＧＰＳモジュールや、また別の無線位置検出システムにより提供されるものである。この  ―  そのディスプレイユニットを構築する電子部品の識別コードのかわりに、又は好ましくはそれに加えて用いられる  ―  コードは、本発明に係る電子システムにより供される安全性の度合いをさらに向上させ、そのデジタルコンテンツへのアクセスを、ディスプレイユニットの位置する（固定された）位置において排他的に保証する。
【００１９】
こうすることで、本発明に係る電子システムのものと異なるデバイスに入れて持ち出されたファイルをオープンする不正な試みは成功し得ないことが十分に保証される。
【００２０】
発明の第二の態様によると、本発明は、美術作品に関するデジタルコンテンツを管理するための方法であって、： 
・美術作品に関するデジタルコンテンツを含む少なくとも１つのファイルをインポートするステップ
・固有のやり方でディスプレイユニット及び／又は同一のものに含まれる少なくとも１つの電子部品と関係づけられた少なくとも１つの識別コードを取得するステップ
・取得された少なくとも１つの識別コードに基づいて、固有の暗号化鍵を生成するステップ
・生成された固有の鍵でインポートされた少なくとも１つのファイルを暗号化するステップ
・暗号化されたファイルを保存するステップ
から成るステップを含むという特徴を持つ、美術作品に関するデジタルコンテンツを管理するための方法に関する。
【００２１】
有利なことに、本発明に係る美術作品に関するデジタルコンテンツを管理する方法は、美術作品に関するデジタルコンテンツを管理するための電子システムに関して上で説明された技術的な効果を達成している。
【００２２】
本発明は以下の好適な特徴のうち少なくとも１つを持つことができ、特にそれらを互いに望むまま組み合わせることで、特定のアプリケーション要件を満たすことができる。
【００２３】
好ましくは、ディスプレイユニットはインポートユニットに直接接続されていて、前記ディスプレイユニットは、少なくとも１つの遠隔通信ネットワークを通じてディスプレイスクリーンを備えている、遠隔に配置された少なくとも１つの電子デバイスと接続されているとよい。
【００２４】
本発明に係る電子システムの第一の有利な別形によると、美術作品に関するデジタルコンテンツを取得したユーザが、関連するファイルの物理的な移動を伴わずに、自身の電子デバイス上でその作品を表示できることが予見される。換言すると、デジタルコンテンツは本発明に係る電子システムを通じてのみ利用可能である。ファイルはシステム自身の中で復号化されてオープンされ、このファイルのデジタルコンテンツだけが、遠隔通信ネットワークに開かれた安全な経路を通じて、そのユーザの電子デバイスへと移動される。ユーザは従って、ファイルを持つことなく作品を表示できるだろう。
【００２５】
こうすることで、ファイルのアクセス可能なコピーを生成することは不可能で、従ってデジタル美術作品の拡散が効果的に防止されることがさらに保証される。
【００２６】
かわりに、ディスプレイユニットが遠隔に配置され、遠隔通信ネットワークを通じてインポートユニットと接続されており、前記ディスプレイユニットがディスプレイスクリーンを備えた少なくとも１つの電子デバイスと接続されていてもよい。
【００２７】
本発明に係る電子システムのさらなる有利な別形によると、美術作品に関するデジタルコンテンツを取得したユーザに、そのファイルが物理的に移動されることが予見される。この場合、インポートユニットはユーザの地点に配置されたディスプレイユニットと通信可能な位置に配置される。そのインポートユニットはそのディスプレイユニットから、このディスプレイユニットの少なくとも１つの電子部品の固有の識別コードを取得し、  ―  ファイルの移動の前に  ―  この固有の識別コードにもとづいて暗号化を行い、従ってファイルをそのユーザの特定のディスプレイユニットに直接リンクする。こうすることで、有利なことにそのユーザは、遠隔通信ネットワークへの接続がない状況にあってさえも、そのデジタルコンテンツを表示することができる。しかしながら、ディスプレイユニットとファイルの間の固有のリンクは、このファイルの高い水準の安全性並びに、複製及び拡散の防止を決定づける。
【００２８】
好ましくは、そのディスプレイユニットの電子部品は、美術作品に関するデジタルコンテンツを含むファイルを保持するように適応した記憶手段であるとよい。
【００２９】
かわりに、そのディスプレイユニットの電子部品は、少なくとも１つの、たとえばプロセッサのような、電子処理手段であってもよい。
【００３０】
好ましくは、ディスプレイユニットと固有のやり方によって対応づけられた識別コードは、このディスプレイユニットの位置からの相対座標であるとよい。
【００３１】
より好ましくは、そのディスプレイユニットの位置に対する相対座標は、無線位置検出モジュールにより、さらに好ましくはＧＰＳモジュールにより、獲得されたものであるとよい。
【００３２】
この提供により、特に固定されたディスプレイユニットの場合、暗号化鍵をこのディスプレイユニットの正確な位置とリンクすることで、システムの安全性の程度を高めることが可能となる。
【００３３】
好ましくは、固有の暗号化鍵を生成する手段が、加えて時刻データに基づいて動作するとよい。
【００３４】
この好適な特徴は有利なことに、たとえば時間制限を含む、サブスクリプション期間に従う、美術作品に関するデジタルコンテンツの表示可能性を管理できるようになる。特に、暗号化鍵は、それを生成するために用いられた時刻データに含まれた時間有効性を伴って利用される。
【００３５】
好ましくは、システムが、美術作品に関するデジタルコンテンツを含むバックアップファイルを内包するバックアップ記憶手段で、前記バックアップファイルがバックアップ記憶手段の少なくとも１つの識別コードに基づいて生成された固有の暗号化鍵を通じて暗号化されているとよい。
【００３６】
有利なことに、これにより、ファイルの複製及び拡散に対するシステムの安全性の程度は維持されたままである一方で、ディスプレイユニットの機能不全の場合でさえ、そのファイルのコンテンツにアクセスすることが可能となる。そうでなければ、たとえファイルを復元して別の動作中のディスプレイユニットに移動したとしても、もはやそれらを開くことは不可能だろう。ファイルを暗号化するために用いられた識別コードについて、異なる識別コードを提供された電子部品を持つディスプレイユニットにファイルが格納されているからである。
【００３７】
好ましくは、インポートユニットは入力として受けとった美術作品に関するデジタルコンテンツを含むファイルにそれぞれ固有のシリアルナンバを割り当てるように適応していて、前記暗号化鍵を生成する手段が、追加で前記固有のシリアルナンバに基づいて動作するとよい。
【００３８】
より好ましくは、暗号化鍵を生成する手段が、識別コードの生成段階においてファイルに割り当てられた固有のシリアルナンバに、秘密の接頭辞を足すように適応しているとなおよい。
【００３９】
こうすることで、有利なことに安全性の水準が向上する。なぜなら、システム自身によって生成され適切に変更された固有のコードが使用されており、従ってそのコードは簡単には獲得できないからである。
【００４０】
好ましくは、インポートユニット及びディスプレイユニットは、美術作品に関するデジタルコンテンツを含むファイルを受け取るために、及び美術作品に関するデジタルコンテンツを送信するために、それぞれ遠隔通信ネットワークに接続されているとよい。
【００４１】
より好ましくは、ディスプレイユニットが、美術作品に関する暗号化されたデジタルコンテンツの流れを管理するために、好ましくはＳＳＬタイプの、安全な伝送経路を生成するように適応しているとなおよい。
【００４２】
好ましくは、システムが加えて、美術作品に関するデジタルコンテンツの二次元及び／又は三次元の印刷のための少なくとも１つのプリンタに接続された、美術作品に関するデジタルコンテンツの印刷を管理するユニットを含むとよい。
【００４３】
こうすることで、あらゆるユーザは、印刷用に取得されたコピーの数に基づいて、美術作品が印刷され、物理的に伝送されることを要求する可能性を持つ。１個のコピーを印刷する場合、それの電子的な表示も行えるようにしたいならば、さらに第二のコピーを取得することが必要である。
【００４４】
好ましくは、電子システムがユーザインターフェースユニット及び美術作品に関するデジタルコンテンツの販売運営を管理するためのユニットも含むとよい。
【００４５】
より好ましくは、販売運営を管理するためのユニットは、ユーザが複数のユーザ又は単独のユーザに対して美術作品に関するデジタルコンテンツを販売提示できるようにするとよい。
【００４６】
さらにより好ましくは、販売運営を管理するためのユニットは、美術作品に関するデジタルコンテンツがオークションにかけられるか、又は固定された価格で売却されることができるようにするとよい。
【００４７】
美術作品が売却されると、その所有権が移動され、売却されたコピーの数が本来取得された数よりも少ないのでない限り、前の所有者はその時点で売却された美術作品をもはや見ることができなくなる。
【００４８】
好ましくはシステムが、取得された美術作品に関するデジタルコンテンツの所有者に関するデータを含む追加の記憶手段を含むとよい。
【００４９】
有利なことに、仮に所有権の個々の変更にあたってこの情報が更新されても、その追加の記憶手段がその所有権の一つ一つの移動の履歴記録を構成できる。
【００５０】
より好ましくは、ユーザインターフェースユニットと販売運営を管理するためのユニットは、美術作品に関するデジタルコンテンツの所有権データを、最新の販売対象に保つために、追加の記憶手段とインターフェースするとなおよい。
【００５１】
好ましくは、固有の暗号化鍵を生成するステップが、ディスプレイユニットの記憶手段の少なくとも１つの識別コードに基づいて動作するとよい。
【００５２】
かわりに、固有の暗号化鍵を生成するステップが、ディスプレイユニットの電子処理手段の少なくとも１つの識別コードに基づいて動作してもよい。
【００５３】
好ましくは、管理の方法は加えて：
・固有の暗号化鍵を、バックアップ記憶手段の少なくとも１つの識別コードに基づいて生成するステップ
・入力された少なくとも１つのファイルを、前記バックアップ記憶手段の識別コードから生成された固有の鍵で暗号化するステップ
・バックアップ記憶手段に暗号化されたファイルを保存するステップ
からなるステップを含むとよい。
【００５４】
好ましくは、美術作品に関するデジタルコンテンツを含む少なくとも１つのファイルをインポートするステップが、インポートされたファイルに固有のシリアルナンバを割り当てるステップを含み、固有の暗号化鍵を生成するステップが、割り当てられた固有のシリアルナンバからもこの鍵を獲得するステップを含むとよい。
【００５５】
より好ましくは、固有の暗号化鍵を生成するステップが、インポートするステップにおいて割り当てられた固有のシリアルナンバに接頭辞を付加する先行ステップを含むとよい。
【００５６】
以下、付属の図面を参照しながら、本発明のいくつかの好適な実施形態を詳細に説明し、そのさらなる特徴と利点を明らかにしていく。
【００５７】
特定の組み合わせからの結果として具体的に生じる利点を利用することが必要であれば、個々の設定の異なる特徴は、先述の説明に従って所望のように互いに組み合わせることができる。
【図面の簡単な説明】
【００５８】
【図１】本発明に係る美術作品に関するデジタルコンテンツを管理するための電子システムの第一の好適な実施形態のブロック図である。
【図２】本発明に係る美術作品に関するデジタルコンテンツを管理するための電子システムの第二の好適な実施形態のブロック図である。
【図３】本発明に係る電子システムの中に美術作品に関するデジタルコンテンツをロードするステップを図示した模式図である。
【図４】本発明に係る電子システムにより管理される美術作品に関するデジタルコンテンツを表示するステップを図示した模式図である。
【発明を実施するための形態】
【００５９】
以下の説明では図を示す際、同じ機能を持つ構成要素を示すためには、同じ参照番号又は記号が用いられている。さらに、図示の明晰さのため、一部の参照番号又は記号は、すべての図で繰り返し表記されるわけではない。
【００６０】
図１を参照して、美術作品に関するデジタルコンテンツを管理するための電子システムの第一の実施形態を示し、この全体を１０とする。
【００６１】
このシステム１０は複数のユニット１１、１２、１３、１８、１９を含み、これには、美術作品に関するデジタルコンテンツをインポートするための少なくとも１つのユニット１１に加え、美術作品に関するデジタルコンテンツを表示するユニット１２が含まれる。
【００６２】
特に、図示された実施形態によると、ディスプレイユニット１２は、美術作品に関するデジタルコンテンツを保持するように適応した第一の記憶手段１４ａを含む。第一の記憶手段１４ａは、それぞれが美術作品のデジタルコンテンツに関している複数の暗号化されたファイルと、関係する美術作品に関するデータを含む。たとえば、第一の記憶手段１４ａは、各作品のシリアルナンバ、作品の作者の名前、作品の創作の日時、販売のためのコピーの数、現在利用可能か否か、並びに、その作品が何を表現しているか及び／又はどの様式、印刷方法、で作られたのかの説明等、を含む。
【００６３】
システム１０は、美術作品に関するデジタルコンテンツのバックアップコピーを含む第二の記憶手段１４ｂも含む。
【００６４】
システム１０は加えて、取得された美術作品に関するデジタルコンテンツの所有者に関するデータを含む第三の記憶手段１４ｃを含む。このデータは所有権の変更があるたびに更新され、従って個々の所有権の変更の履歴記録を構成する。
【００６５】
システム１０を構築するユニットの中には、美術作品に関するデジタルコンテンツの二次元及び／又は三次元の印刷のための少なくとも１つのプリンタ１７と接続された、美術作品に関するデジタルコンテンツの印刷を管理するためのユニット１３があることも予見される。
【００６６】
インポートユニット１１、ディスプレイユニット１２、印刷ユニット１３はたとえばインターネットなどの、グローバル遠隔通信ネットワーク１５でインターフェース手段（図示されていない）に接続され、その接続を通じてデジタルコンテンツの送受信が行われる。
【００６７】
インポートユニット１１はグローバル遠隔通信ネットワーク１５への接続を通じて美術作品に関するデジタルコンテンツのファイルの受け取りを管理するように適応している。
【００６８】
入力ユニット１１は入力に受け取ったファイルの暗号化／復号化手段１１ａを含む。
【００６９】
暗号化／復号化手段１１ａは、インポートユニット１１により取得するステップにおいてファイルと関連づけられた固有のシリアルナンバ、好ましくは変更の後に、に加えて、それを通じて暗号化されたファイルが表示されることになるディスプレイユニット１２の少なくとも１つの電子部品の識別コードに基づいて、固有の暗号化鍵を生成するための手段を含む。ディスプレイユニット１２の電子部品はたとえば、このディスプレイユニット１２の第一の記憶手段１４ａであるか、かわりに電子処理手段１２ａである。
【００７０】
鍵を生成するための手段は、鍵を生成する同じ手段にしか知られていない（乱数アルゴリズムによって生成され得る）接頭辞を、取得するステップにおいてファイルに関係づけられた固有のシリアルナンバに追加するように適応している。
【００７１】
好ましくは、鍵を生成する手段は、その動作アルゴリズムへのアクセスを防止するように適応した、秘匿化の手段を伴って提供されるとよい。
【００７２】
図１で図示された実施形態では、ディスプレイユニット１２は遠隔通信ネットワーク１５への接続を通じて受け取った要求に基づいて、美術作品に関する暗号化されたデジタルコンテンツの流れを管理するように適応している。
【００７３】
この目的のため、ユーザの少なくとも１つの電子デバイス１６ａ、１６ｂ、たとえばスマートＴＶ１６ａやパーソナルコンピュータ１６ｂなど、は、ディスプレイユニット１２と遠隔にインターフェースし、たとえばＳＳＬタイプの、美術作品に関するデジタルコンテンツを受け取るための安全な伝送経路を生成するように適応したソフトウェアアプリケーションを含む。
【００７４】
このソフトウェアアプリケーションは、ユーザによる認証情報を介したシステム１０へのアクセスを管理する。こうすることで、ユーザは自身に関係づけられたデジタルコンテンツへのアクセスを取得する。特にユーザは、以前に販売の対象となり、その所有権がそのユーザに移されたデジタルコンテンツへのアクセスを取得する。
【００７５】
こうすることで、ユーザは自身に対応づけられたデジタルコンテンツの中から、すべて同じローカル遠隔通信ネットワークに接続され得る、自身の電子デバイス１６ａ，１６ｂ及び／又はそのユーザに割り当てられた他の電子デバイスを通じて、どのコンテンツを表示するかを選択できる。
【００７６】
そのユーザの電子デバイス１６ａ、１６ｂにインストールされたソフトウェアアプリケーションでは、特定のユーザに関係づけられたデジタルコンテンツの遠隔の表示だけを許可し、前記コンテンツはどのような場合でもディスプレイユニット１２の記憶手段１４ａの中に残ったままである。従って、図１で示された実施形態では、そのユーザの電子デバイス１６ａ、１６ｂには、そのデジタルコンテンツの暗号化されたコピーは送られず、これによってそのコンテンツのローカル保存が防止される。
【００７７】
図２を参照して、美術作品に関するデジタルコンテンツを管理する電子システムの第二の実施形態を図示し、全体を１０’で示す。
【００７８】
電子システム１０’の第二の実施形態は、主にディスプレイユニット１２’により第一のものと差別化される。このディスプレイユニット１２’はインポートユニット１１とは遠隔に設置されており、遠隔通信ネットワーク１５を通じてそれと通信する。
【００７９】
このようなシステム構造にはそれゆえ、ディスプレイユニット１２’がユーザの位置に設置されることが予見される。ディスプレイユニット１２’はたとえばスマートＴＶやパーソナルコンピュータなどであり得る。このディスプレイユニット１２’はソフトウェア手段１２ｂ‘を含み、それはディスプレイユニット１２’の少なくとも１つの電子部品１２ａ’、１４ａ’（たとえば関係する第一の記憶手段１４ａ’又は電子処理手段１２ａ’）に問いかけるように、及びインポートユニット１１とインターフェースして、検出された少なくとも１つの識別コードを送信するように適応している。
【００８０】
従って、インポートユニット１１の暗号化／復号化手段１１ａはファイルの暗号化を、遠隔のディスプレイユニット１２’の電子部品１２ａ’、１４ａ’の識別コードに基づいて実行する。
【００８１】
一度暗号化すると、そのファイルは遠隔のディスプレイユニット１２’の第一の記憶手段１４ａ’へと移動される。それを開くために、ソフトウェア手段１２ｂ’はインポートユニット１１に存在する暗号化／復号化手段１１ａと類似の暗号化／復号化手段を含む。従ってこのファイルはローカルな復号化が可能だが、特定の遠隔のディスプレイユニット１２’に制限されたままである。換言すると、ファイルのコンテンツには遠隔のディスプレイユニット１２’を通じてのみアクセス可能である。
【００８２】
図１、図２に示したどちらの実施形態においても、印刷を管理するためのユニット１３は印刷のキューを管理し、印刷ジョブを少なくとも１つのプリンタ１７に分配するように適応している。
【００８３】
その少なくとも１つのプリンタ１７はかわりに、又は追加で、印刷を管理するためのユニット１３と同じ場所か、又は遠隔に（たとえば印刷所など）配置することができる。後者の場合、印刷を管理するためのユニット１３と少なくとも１つのプリンタ１７の間の接続は、グローバル遠隔通信ネットワーク１５を通じて作られる。
【００８４】
美術作品に関するデジタルコンテンツを管理するための電子システム１０、１０’はユーザインターフェースユニット１８も含み、これはグローバル遠隔通信ネットワーク１５とインターフェースする手段（図示していない）、及び美術作品に関するデジタルコンテンツの販売運営を管理するためのユニット１９とも接続されている。
【００８５】
販売運営を管理するためのユニット１９は、ユーザ間の相互作用の異なるモードを許可する。これには、アーティストユーザ、前に取得したデジタルコンテンツの所有者であるユーザ、又は美術商ユーザが、美術作品に関するデジタルコンテンツを市場（つまり残りのユーザの全体）に販売提示するモードも含まれる。販売運営を管理するためのユニット１９はこの市場における販売提示を、オークションの形か又は固定された価格で行うように適応している。さらに、販売運営を管理するためのユニット１９は、２人のユーザの間でプライベートな販売提示を行うようにも適応している。
【００８６】
ユーザインターフェースユニット１８及び販売運営を管理するためのユニット１９は、第三の記憶手段１４ｃとインターフェースし、販売の対象となっている美術作品に関するデジタルコンテンツの所有権のデータを最新の状態に保つ。
【００８７】
好ましくは、販売のための美術作品に関するデジタルコンテンツを表示するための一時的なアクセスを提供することができるとよい。
【００８８】
本発明に係るシステム１０により実装された、美術作品に関するデジタルコンテンツを管理するための方法１００、２００が、図３及び４に模式的に図示されている。
【００８９】
一度美術作品に関するデジタルコンテンツのファイルが入力（１００）で受け取られると、グローバル遠隔通信ネットワークへの接続を通じて、そのファイルに固有のシリアルナンバが割り当てられる（ステップ１３０）。
【００９０】
シリアルナンバが割り当てられた後、暗号化鍵を生成するステップ１６０が実行される。この暗号化鍵は、以前（ステップ１３０の間に）ファイルに関係づけられた固有のシリアルナンバと、以前（ステップ１５０）取得されてインポートユニットの暗号化／復号化手段１１ａへと送られたディスプレイユニット１２、１２’の電子部品１２ａ、１４ａ、１２ａ’、１４ａ’の識別コードと、から生成される。
【００９１】
ファイルはそれゆえ生成された暗号化鍵によって暗号化され（１７０）、暗号化されたファイルはたとえばディスプレイユニット１２、１２’の記憶手段１４ａ、１４ａ’上に保存される（１８０）。
【００９２】
それに対応して、バックアップコピーファイルが保存されているバックアップ記憶手段１４ｂがディスプレイユニット１２，１２’の記憶手段１４ａ、１４ａ’のコードと異なる識別コードで特徴付けられているならば、電子部品の識別コードを取得するステップ１５０、暗号化鍵を生成するステップ１６０、ファイルを暗号化するステップ１７０、及び後続の、対応するバックアップ記憶手段１４ｂに暗号化されたファイルを保存するステップ１８０は、このバックアップコピーのために実行される。この場合、暗号化鍵は、バックアップ記憶手段１４ｂの識別コードに基づいて生成されることとなる。
【００９３】
換言すると、固有の暗号化鍵を生成するための手段は、第一のものとは異なる第二の暗号化鍵を生成し、バックアップコピーファイルの暗号化はそれに基づいて実行される。
【００９４】
従ってこのようなコピーファイルは、バックアップ記憶手段１４ｂに配置されている場合にのみオープンされ得ることになる。
【００９５】
もし運営上の理由のため、ファイルを記憶手段から別の記憶手段へと移動させねばならない場合、開始前の記憶手段に配置されたままのファイルを復号化し、その後ファイルを暗号化されていない状態で移動し、一度ファイルが他方の記憶手段に配置されたら、目的地の記憶手段の識別コードから再び新たな暗号化鍵を生成して暗号化を繰り返す、という手順が不可欠となるだろう。
【００９６】
好ましくは、暗号化鍵を生成するステップが、取得されているファイルと対応づけられた固有のシリアルナンバへの（乱数アルゴリズムにより生成され得る）接頭辞の付加（１４０）から成る先行ステップを予見するとよい。この接頭辞は好ましくは鍵を生成する手段それ自身にしか知られていないとよい。
【００９７】
それに対応して、一度美術作品に関するデジタルコンテンツを表示する要求をそのデジタルコンテンツに関係づけられたユーザ（所有者）から受け取る（ステップ２１０）と、ディスプレイユニット１２、１２’の電子部品１２ａ、１４ａ、１２ａ’、１４ａ’の識別コードが取得され（ステップ２１５）、インポートユニット１１の暗号化／復号化手段１１ａ、又は遠隔のディスプレイユニットのソフトウェア手段１２ｂに含まれる暗号化／複合化手段へと移動される。
【００９８】
取得されたコードに基づいて、要求のあったデジタルコンテンツを含むファイルのための特定の復号化鍵が生成される（ステップ２２０）。復号化鍵はそのデジタルコンテンツに関係づけられた固有のシリアルナンバ（接頭辞で変更され得る）及び、暗号化されたファイルが表示されるディスプレイユニット１２、１２’の、少なくとも１つの電子部品１４ａ、１４ａ’、１２ａ、１２ａ’に関して以前取得された識別コードに基づいて生成される。たとえば、その識別コードはこのディスプレイユニット１２、１２’の記憶手段１４ａ、１４ａ’のものである。バックアップファイルの場合、識別コードはバックアップ記憶手段１４ｂのものである。
【００９９】
このようにして獲得された復号化鍵に基づいて、そのファイルのデジタルコンテンツへのアクセス（ステップ２３０）が実行される。
【０１００】
異なる実施形態によって、ユーザは、自身が所有するデジタルコンテンツを表示することができる。
【０１０１】
第一の場合、復号化はローカルのディスプレイユニット１２で実行され、暗号化を解除されたファイルのコンテンツはグローバル遠隔通信ネットワーク１５を通じて少なくとも１つの電子デバイス１６ａ、１６ｂへと送信される（ステップ２４０）。このときファイルが（暗号化されているかいないかによらず）その電子デバイスに物理的に移動されることはない。この電子デバイス１６ａ、１６ｂはそのデジタルコンテンツを表示する責任があるに過ぎない。
【０１０２】
第二の場合、ファイルが格納されている遠隔ディスプレイユニット１２’は、上で既に述べられたとおり、ディスプレイユニット１２’の少なくとも１つの電子部品１２ａ’、１４ａ’に問いかけてその識別コードを取得するように、加えてインポートデバイス１１に内在する暗号化／復号化手段１１ａを通じて当初に暗号化されたファイルの復号化を実行するように適応したソフトウェア手段１２ｂ’を備える。デジタルコンテンツの表示は遠隔のディスプレイユニット１２’自身を通じて行われる。
【０１０３】
どちらの場合も、暗号化されたファイルはディスプレイユニット１２、１２’に固有のやり方でリンクされ、複製する試みはいずれも防止され、ファイルの拡散は強力に阻害される。実際、もし仮にファイルが異なるディスプレイユニットに移されたとしても、そのディスプレイユニットの電子部品の識別コードは異なるものであり、ファイルをオープンするように適応した復号化鍵の再構築が許可されないため、ファイルはオープンできないと判断すべきである。こうすることで、ファイルが効果的に複製、拡散できる状態は防止される。
【０１０４】
ここまで為した説明から、本発明の美術作品の対象に関するデジタルコンテンツを管理するためのシステム及び方法の特徴と、それに関連した利点も明確になった。
【０１０５】
この発明の教示から乖離することなく、上述の実施形態からのさらなる別形も可能である。
【０１０６】
最後に、これまで考察してきた美術作品に関するデジタルコンテンツを管理するためのシステム及び方法に無数の変更や別形が考えられるのは明らかであり、そのすべては本発明によってカバーされている。さらに、詳細のすべては技術的に等価な要素で置き換えることができる。現実的には、使用する素材、サイズ等は、技術的な要件に従いさえすればどのようなものにもなり得る。
【図１】
2018530284.tif 000003
【図２】
2018530284.tif 000004
【図３】
2018530284.tif 000005
【図４】
2018530284.tif 000006
【国際調査報告】
2018530284.tif 000007
2018530284.tif 000008
2018530284.tif 000009